(57)【特許請求の範囲】
【請求項１】
筐体の一部に設けた切欠き部と、前記筐体と嵌合することにより前記切欠き部を塞ぐ蓋部と、ショルダーストラップを収納する前記切欠き部に設けた収納部と、前記ショルダーストラップの両端を取り付けて固定する前記収納部に設けたボスと、前記ショルダーストラップの厚み方向と接触する前記切欠き部の一部に設けた２つの溝部とを備え、
前記ショルダーストラップの使用時には前記２つの溝部を介して前記筐体外部に排出され、前記蓋部により前記切欠き部と共に前記溝部の端部を塞ぎ、また前記ショルダーストラップを収納時には前記ショルダーストラップ両端を固定する前記ボスを設けた収納部内に全てを収納することを特徴とする電子機器のショルダーストラップ装置。
【請求項２】
前記収納部と電池ホルダー部を並設し、前記収納部からのショルダーストラップと前記電池ホルダー部からの電池の出し入れ口となる前記筐体の切欠き部と、該切欠き部を塞ぐ蓋部とを備えたことを特徴とする請求項１記載の電子機器のショルダーストラップ装置。
【発明の詳細な説明】
【０００１】
【発明の属する技術分野】
本発明は、携帯に利用する電子機器のショルダーストラップ装置に関するものである。
【０００２】
【従来の技術】
従来のこの種のショルダーストラップ装置は、図５に示したように構成されている。図５において、１は携帯する電子機器等の筐体、２は支軸、２ａは支軸２を保持するため筐体１に設けた支軸保持部、３はショルダーストラップ、３ａは支軸２を通して筐体１を保持するショルダーストラップ３の支軸引掛け部である。
【０００３】
このように従来のショルダーストラップ装置では、ショルダーストラップ３が筐体１の支軸保持部２ａにより支持された支軸２に支軸引掛け部３ａを通して筐体１を保持することで、電子機器をショルダーストラップ３を用いて携帯し使用することができる。
【０００４】
【発明が解決しようとする課題】
しかしながら、このような構成の従来のショルダーストラップ装置では、ショルダーストラップが支軸を介して筐体に保持されていて取外しができないため、据置きで使用したり、壁掛けで使用するときにショルダーストラップがじゃまになったり、見栄えが悪いという問題があった。
【０００５】
本発明は、前記従来技術の問題を解決するものであり、ショルダーストラップを容易に取り出し、また容易に収納できる優れた電子機器のショルダーストラップ装置を提供する。
【０００６】
また、ショルダーストラップの収納部と電池ホルダー部を並設することにより、省スペースでショルダーストラップと電池を容易に出し入れできると共に、収納部と電池ホルダー部とを塞ぐ蓋を１つの蓋部で共有でき、低コスト化することができる優れた電子機器のショルダーストラップ装置を提供することを目的とする。
【０００７】
【課題を解決するための手段】
この目的を達成するために、本発明に係る電子機器のショルダーストラップ装置は、筐体の一部に設けた切欠き部と、筐体と嵌合することにより切欠き部を塞ぐ蓋部と、ショルダーストラップを収納する切欠き部に設けた収納部と、ショルダーストラップの両端を取り付けて固定する収納部に設けたボスと、ショルダーストラップの厚み方向と接触する切欠き部の一部に設けた２つの溝部とを備え、ショルダーストラップの使用時には２つの溝部を介して前記筐体外部に排出され、蓋部により切欠き部と共に溝部の端部を塞ぎ、またショルダーストラップを収納時にはショルダーストラップ両端を固定するボスを設けた収納部内に全てを収納することを特徴とする。
【０００８】
また、収納部と電池ホルダー部を並設し、収納部からのショルダーストラップと電池ホルダー部からの電池の出し入れ口となる切欠き部と、切欠き部を塞ぐ蓋部とを備えるように構成したものである。
【０００９】
前記構成によれば、ショルダーストラップを筐体へ収納するときは、ショルダーストラップを収納部へ切欠き部より挿入し蓋部を閉めることで、据置きや壁掛けで使用した場合に、ショルダーストラップが全て収納されじゃまにならず、またボスに取り付け固定されたショルダーストラップが必要なときには、蓋部を開き切欠き部の収納部からショルダーストラップを取り出して溝部を介して筐体外部に排出し使うことができる。
【００１０】
また、収納部と電池ホルダー部を並設して１つの蓋部により、ショルダーストラップおよび電池の出し入れ口である切欠き部を塞ぐことができる。
【００１１】
【発明の実施の形態】
以下、図面を参照して本発明の実施の形態を詳細に説明する。
図１は本発明の実施の形態１における電子機器のショルダーストラップ装置を示す斜視図である。ここで、従来例を示す図５において説明した構成部材と対応するものには同一の符号を付し、以下の各図においても同様とする。図１において、１は筐体、３はショルダーストラップ、５は蓋部、６は、ショルダーストラップ３の出し入れ口で、蓋部５により塞がれる切欠き部である。
【００１２】
また、図２（ａ）は本実施の形態１におけるショルダーストラップを収納部より取り出した状態、図２（ｂ）はショルダーストラップを取り出し蓋部を閉じた状態を示す斜視図である。図２において、１は筐体、３はショルダーストラップ、５は蓋部、６は切欠き部、７はショルダーストラップ３を収納する収納部、７ａは蓋部５の後述するツメと嵌合する角穴、７ｂは使用時にショルダーストラップ３の筐体１外へ出口部となる溝、８は座付きネジ、９は筐体１に一体に形成された円柱状のボス、矢印Ｆ１，Ｆ２，Ｆ３，Ｆ４，Ｆ５はショルダーストラップ３の引っ張り力の加わる方向である。
【００１３】
図３（ａ）は本実施の形態１における電子機器のショルダーストラップ装置の正面図、図３（ｂ）は正面図Ａ−Ａ間の断面図、図３（ｃ）は正面図Ｂ−Ｂ間の断面図である。さらに、前記図１，図２において説明した構成部材と対応するものには同一符号を付し、その重複する説明は省略する。図３において、５ａは蓋部５に設けられ角穴７ａと嵌合するツメである。
【００１４】
以上のように構成される前記実施の形態１の動作を説明する。まず、図１に示すように、ショルダーストラップ３は筐体１の収納部７に切欠き部６から収納され、切欠き部６は蓋部５を用いて塞がれている。ショルダーストラップ３を取り出す場合は、図２（ａ）に示すように蓋部５を開き、収納部７から取り出し溝７ｂに挿入した後、蓋部５のツメ５ａと角穴７ａを嵌合させる（図３（ｂ）参照）ことにより、図２（ｂ）のように蓋部５が閉じられショルダーストラップ３が装着される。このショルダーストラップ３は、筐体１に円柱状のボス９と座付きネジ８を用いて保持されている（図３（ｃ）参照）。
【００１５】
次に、ショルダーストラップ３の保持状態について説明する。図３（ｂ）に示すように、蓋部５は筐体１の角穴７ａとツメ５ａにより嵌合している。また図３（ｃ）に示すようにショルダーストラップ３は筐体１に一体に形成された円柱状のボス９に座付きネジ８を用いて脱落しないように保持される。ショルダーストラップ３が図２（ｂ）に示す矢印Ｆ１，Ｆ２，Ｆ３方向に引っ張られた場合は溝７ｂで引っ張り力を受け、矢印Ｆ４方向に引っ張られた場合はツメ５ａが角穴７ａと嵌合しているため、角穴７ａで引っ張り張力を受け蓋部５が外れることはない。また、矢印Ｆ５方向に引っ張られた場合は、筐体１に一体に形成された円柱状のボス９で引っ張り力を受けることができる。
【００１６】
このように、前記実施の形態１によれば、ショルダーストラップ３を筐体１内の収納部７に収納して蓋部５を閉めることにより、ショルダーストラップ３を収納することができ、据置きや壁掛けで使用する場合にじゃまにならない。また、ショルダーストラップ３を使用する場合には、収納部７から取り出し溝７ｂに挿入し蓋部５を閉めることで装着でき、必要とするときのみ使用することができる。
【００１７】
図４は本発明の実施の形態２における電子機器のショルダーストラップ装置を示す斜視図である。ここで、前記実施の形態１を示す図１，図２，図３において説明した構成部材と対応するものには同一符号を付し、その重複する説明は省略する。図４において、５′は収納部７と後述する電池ホルダー部の蓋部、６′は、蓋部５′が塞ぎ、ショルダーストラップ３や電池の出し入れ口となる切欠き部、１０は電池が収納される電池ホルダー部である。
【００１８】
以上のように構成される本実施の形態２は、前記実施の形態１の収納部７と電池ホルダー部１０を並設して、それにともない蓋部５と切欠き部６を電池ホルダー部１０の電池の出し入れが可能な蓋部５′と切欠き部６′に代えて構成したものである。その動作については前記実施の形態１と同様である。
【００１９】
このように、前記実施の形態２によれば、収納部７と電池ホルダー部１０を並設することにより省スペース化と、収納部７と電池ホルダー部１０の蓋を１つの蓋部５′で共有でき低コスト化することができる。
【００２０】
【発明の効果】
以上説明したように、本発明によれば、収納部に設けたショルダーストラップ用ボスによって、ショルダーストラップ使用時に蓋部に不要な荷重が掛かることがなく、またショルダーストラップを収納部に収納し蓋部を閉じることにより、据置きや壁掛けで使用した場合に、ショルダーストラップが全て収納されてじゃまにならず電子機器を使用でき、さらに収納時には、余分な取り付け金具が装置表面に出てこないため見栄えがよく、必要とするときのみ取り出して使うことができ、ショルダーストラップを収納部から取り出すときには、溝部に挿入し蓋をするだけなので容易に取り出して使用することができる。
【００２１】
また、収納部と電池ホルダー部を並設することで省スペース化と、蓋部を共有することで低コスト化できるという効果を奏する。
【図面の簡単な説明】
【図１】本発明の実施の形態１における電子機器のショルダーストラップ装置を示す斜視図である。
【図２】（ａ）は本実施の形態１におけるショルダーストラップを収納部より取り出した状態、（ｂ）はショルダーストラップを取り出し蓋部を閉じた状態を示す斜視図である。
【図３】（ａ）は本実施の形態１における電子機器のショルダーストラップ装置の正面図、（ｂ）はＡ−Ａ間の断面図、（ｃ）はＢ−Ｂ間の断面図である。
【図４】本発明の実施の形態２における電子機器のショルダーストラップ装置を示す斜視図である。
【図５】従来の電子機器のショルダーストラップ装置を示す斜視図である。
【符号の説明】
１…筐体、  ２…支軸、  ２ａ…支軸保持部、  ３…ショルダーストラップ、  ３ａ…支軸引掛け部、  ５，５′…蓋部、  ５ａ…ツメ、  ６，６′…切欠き部、７…収納部、  ７ａ…溝、  ７ｂ…角穴、  ８…座付きネジ、  ９…円柱状のボス。
【図１】
0003544063.tif 000002
【図２】
0003544063.tif 000003
【図３】
0003544063.tif 000004
【図４】
0003544063.tif 000005
【図５】
0003544063.tif 000006